(57)【要約】【課題】  目的の被曝線量に応じたＸ線曝射条件への変更に関する操作者の作業負担を低減できるＸ線ＣＴ装置を提供することを目的とする。【解決手段】  この発明の装置は、Ｘ線断層撮影に関するＸ線曝射条件が設定される条件設定部２１と、設定されたＸ線曝射条件に従ってＸ線断層撮影を実行するＸ線断層撮影部１０と、所望の被曝線量が入力指示される操作卓３０と、条件設定部２１に設定されたＸ線曝射条件を、操作卓３０に入力された被曝線量に応じたＸ線曝射条件に変更する変更部２２とを備えているので、操作者が操作卓３０に所望の被曝線量を入力指示すると、入力指示された被曝線量に応じたＸ線曝射条件に自動的に変更部２２によって変更され、操作者が試行錯誤してＸ線曝射条件を変更するという作業を解消することができ、目的の被曝線量に応じたＸ線曝射条件への変更に関する操作者の作業負担を低減できる。【選択図】        図３
2005168870.tif 000002
【特許請求の範囲】
【請求項１】
Ｘ線断層撮影に関するＸ線曝射条件が設定される条件設定手段と、前記条件設定手段に設定されたＸ線曝射条件に従ってＸ線断層撮影を実行するＸ線断層撮影手段と、所望の被曝線量が入力指示される入力指示手段と、前記条件設定手段に設定されたＸ線曝射条件を、前記入力指示手段に入力された被曝線量に応じたＸ線曝射条件に変更する変更手段と、を備えていることを特徴とするＸ線ＣＴ装置。
【請求項２】
請求項１に記載のＸ線ＣＴ装置において、前記変更手段は、複数種類のＸ線曝射条件とそれぞれの被曝線量とを対応付けて記憶する記憶手段と、前記条件設定手段に設定されたＸ線曝射条件での被曝線量が、前記入力指示手段に入力された被曝線量の許容範囲内となるか否かを判断する判断手段と、前記判断手段で許容範囲内と判断されるまで、前記条件設定手段に設定されるＸ線曝射条件を変更していく遷移手段と、を備えていることを特徴とするＸ線ＣＴ装置。
【請求項３】
請求項１または２に記載のＸ線ＣＴ装置において、さらに、前記条件設定手段に設定されたＸ線曝射条件での被曝線量が所定量以上であることを教示する教示手段を備えていることを特徴とするＸ線ＣＴ装置。
【発明の詳細な説明】
【技術分野】
【０００１】
この発明は、Ｘ線ＣＴ（Computed Tomography：コンピュータ断層撮影）装置に係り、特に、ＣＴ検査のためのＸ線曝射を行う前に、被検体（例えば被検者）への被曝線量を検討し、この検討後の被曝線量に応じたＸ線曝射条件に変更・調整する技術に関する。
【背景技術】
【０００２】
このＸ線ＣＴ装置としては、被検体を挟んで対向配置されたＸ線管とＸ線検出器とを被検体の体軸周りに１回転（少なくとも半回転）させながら撮影することで、被検体の体軸周り１回転分（少なくとも半回転分）の透過像を取得し、これらの透過像に基づいて画像再構成を行い、被検体の体軸方向から見た断層画像を取得するものが挙げられる。このような断層撮影を行う際のＸ線曝射条件をどのような条件とするかは、検査部位や目的または被検者の体格等に合わせて操作者が適宜に設定することとしている（例えば、特許文献１参照）。なお、このＸ線曝射条件としては、Ｘ線管の管電流や管電圧、スライス厚さ等の各種のパラメータを適宜に設定した種々のものが挙げられる。
【０００３】
また、近年、被曝に対する関心が高まっていることもあって、設定されたＸ線曝射条件における被検者の被曝線量を規格化された値で表示することが義務付けられている。
【特許文献１】特開平１１−２０６７５５号公報（第２頁、図１２，１３）
【発明の開示】
【発明が解決しようとする課題】
【０００４】
しかしながら、このような構成を有する従来例の場合には、次のような問題がある。
すなわち、従来の装置では、検査部位、目的等に応じたＸ線曝射条件が操作者によって設定され、この設定されたＸ線曝射条件での被曝線量が表示されるようになっているが、その被曝線量を目的の被曝線量に変更する必要がある場合には、設定されたＸ線曝射条件を検査目的等の許容範囲内で変更し、この変更後のＸ線曝射条件での表示される被曝線量が目的の被曝線量となっているか否かを確認するという一連の操作確認行為を経て、Ｘ線曝射条件を変更設定することになり、このＸ線曝射条件の変更操作が非常に煩雑となるという問題がある。つまり、Ｘ線検出器の多列化やＸ線管電流の最適化など、Ｘ線曝射条件が多様化する状況において、この変更操作は直感的でないことから、当初設定したＸ線曝射条件の許容範囲内で目的の被曝線量に変更することが思うようにできず、操作者は試行錯誤してＸ線曝射条件を変更しており、非常に煩雑となっているのである。
【０００５】
この発明は、このような事情に鑑みてなされたものであって、目的の被曝線量に応じたＸ線曝射条件への変更に関する操作者の作業負担を低減することができるＸ線ＣＴ装置を提供することを目的とする。
【課題を解決するための手段】
【０００６】
この発明は、このような目的を達成するために、次のような構成をとる。
すなわち、請求項１に記載の発明に係るＸ線ＣＴ装置は、Ｘ線断層撮影に関するＸ線曝射条件が設定される条件設定手段と、前記条件設定手段に設定されたＸ線曝射条件に従ってＸ線断層撮影を実行するＸ線断層撮影手段と、所望の被曝線量が入力指示される入力指示手段と、前記条件設定手段に設定されたＸ線曝射条件を、前記入力指示手段に入力された被曝線量に応じたＸ線曝射条件に変更する変更手段と、を備えていることを特徴とするものである。
【０００７】
［作用・効果］請求項１に記載の発明に係るＸ線ＣＴ装置では、条件設定手段は、Ｘ線断層撮影に関するＸ線曝射条件が設定される。入力指示手段は、所望の被曝線量が入力指示される。変更手段は、条件設定手段に設定されたＸ線曝射条件を、入力指示手段に入力された被曝線量に応じたＸ線曝射条件に変更する。Ｘ線断層撮影手段は、条件設定手段に設定された変更後のＸ線曝射条件に従ってＸ線断層撮影を実行する。したがって、操作者が入力指示手段に所望の被曝線量を入力指示すると、入力指示手段に入力指示された被曝線量に応じたＸ線曝射条件に自動的に変更手段によって変更されるので、操作者が試行錯誤してＸ線曝射条件を変更するという作業を解消することができる。その結果、目的の被曝線量に応じたＸ線曝射条件への変更に関する操作者の作業負担を低減することができる。
【０００８】
また、請求項２に記載の発明に係るＸ線ＣＴ装置は、請求項１に記載のＸ線ＣＴ装置において、前記変更手段は、複数種類のＸ線曝射条件とそれぞれの被曝線量とを対応付けて記憶する記憶手段と、前記条件設定手段に設定されたＸ線曝射条件での被曝線量が、前記入力指示手段に入力された被曝線量の許容範囲内となるか否かを判断する判断手段と、前記判断手段で許容範囲内と判断されるまで、前記条件設定手段に設定されるＸ線曝射条件を変更していく遷移手段と、を備えていることを特徴とするものである。
【０００９】
［作用・効果］請求項２に記載の発明に係るＸ線ＣＴ装置では、記憶手段は、複数種類のＸ線曝射条件とそれぞれの被曝線量とを対応付けて記憶している。判断手段は、条件設定手段に設定されたＸ線曝射条件での被曝線量が、入力指示手段に入力された被曝線量の許容範囲内となるか否かを判断する。遷移手段は、判断手段で許容範囲内と判断されるまで、条件設定手段に設定されるＸ線曝射条件を変更していく。したがって、操作者が入力指示手段に所望の被曝線量を入力指示すると、入力指示手段に入力指示された被曝線量に応じたＸ線曝射条件に自動的に変更する変更手段を好適に実現することができる。つまり、目的の被曝線量を満たすＸ線曝射条件に自動的に変更することができる。よって、操作者が試行錯誤してＸ線曝射条件を変更するという作業を解消することができるし、目的の被曝線量に応じたＸ線曝射条件への変更に関する操作者の作業負担を低減することができる。
【００１０】
また、請求項３に記載の発明に係るＸ線ＣＴ装置は、請求項１または２に記載のＸ線ＣＴ装置において、さらに、前記条件設定手段に設定されたＸ線曝射条件での被曝線量が所定量以上であることを教示する教示手段を備えていることを特徴とするものである。
【００１１】
［作用・効果］請求項３に記載の発明に係るＸ線ＣＴ装置では、教示手段は、条件設定手段に設定されたＸ線曝射条件での被曝線量が所定量以上であることを教示する。したがって、操作者が設定したＸ線曝射条件での被曝線量が所定値以上となっていることを知ることができ、目的の被曝線量となるＸ線曝射条件への変更を促す契機となり、目的の被曝線量となるＸ線曝射条件への変更を抜けなく確実に行うことができる。
【００１２】
なお、本明細書は、次のようなＸ線ＣＴ装置に係る発明も開示している。
【００１３】
（１）  請求項２に記載のＸ線ＣＴ装置において、前記遷移手段は、前記判断手段で許容範囲内と判断されるまで、前記条件設定手段に設定されるＸ線曝射条件を、そのＸ線曝射条件の要旨を維持するように関連付けられた所定の順番に従って変更していくものであることを特徴とするＸ線ＣＴ装置。
【００１４】
前記（１）に記載の発明によれば、遷移手段は、判断手段で許容範囲内と判断されるまで、条件設定手段に設定されるＸ線曝射条件を、そのＸ線曝射条件の要旨を維持するように関連付けられた所定の順番に従って変更していく。したがって、操作者が入力指示手段に所望の被曝線量を入力指示すると、入力指示手段に入力指示された被曝線量に応じたＸ線曝射条件に自動的に変更する変更手段を好適に実現することができる。つまり、Ｘ線曝射条件の要旨を変更することなく、目的の被曝線量を満たすＸ線曝射条件に自動的に変更することができる。よって、操作者が試行錯誤してＸ線曝射条件を変更するという作業を解消することができるし、目的の被曝線量に応じたＸ線曝射条件への変更に関する操作者の作業負担を低減することができる。
【００１５】
（２）  前記（１）に記載のＸ線ＣＴ装置において、前記遷移手段は、前記判断手段で許容範囲内と判断されるまで、前記条件設定手段に設定されるＸ線曝射条件を、そのＸ線曝射条件の要旨を維持するように関連付けられた所定の順番としての、Ｘ線曝射条件のうちの前記Ｘ線断層撮影手段に含まれるＸ線照射手段の電流値という第１要素以外の第２要素を固定とし、かつ、当該第１要素のみを変更していく順番に従って変更していくものであることを特徴とするＸ線ＣＴ装置。
【００１６】
前記（２）に記載の発明によれば、遷移手段は、判断手段で許容範囲内と判断されるまで、条件設定手段に設定されるＸ線曝射条件を、そのＸ線曝射条件の要旨を維持するように関連付けられた所定の順番としての、Ｘ線曝射条件のうちのＸ線断層撮影手段に含まれるＸ線照射手段の電流値という第１要素以外の第２要素を固定とし、かつ、当該第１要素のみを変更していく順番に従って変更していく。したがって、操作者が入力指示手段に所望の被曝線量を入力指示すると、入力指示手段に入力指示された被曝線量に応じたＸ線曝射条件に自動的に変更する変更手段を好適に実現することができる。つまり、Ｘ線曝射条件の要旨を変更しない要素である、Ｘ線照射手段の電流値という第１要素のみを変更し、第１要素以外の第２要素については固定としているので、Ｘ線曝射条件の要旨を変更することなく、目的の被曝線量を満たすＸ線曝射条件に自動的に変更することができる。よって、操作者が試行錯誤してＸ線曝射条件を変更するという作業を解消することができるし、目的の被曝線量に応じたＸ線曝射条件への変更に関する操作者の作業負担を低減することができる。
【００１７】
（３）  前記（２）に記載のＸ線ＣＴ装置において、前記第１要素は、被検体の撮影部位にわたる一連の電流値を全体的に変更するものであることを特徴とするものである。
【００１８】
前記（３）に記載の発明によれば、第１要素は、被検体の撮影部位にわたる一連の電流値を全体的に変更するものとしている。したがって、Ｘ線曝射条件の要旨を変更しない要素である、Ｘ線照射手段の電流値という第１要素のみを、被検体の撮影部位にわたって全体的に変更し、第１要素以外の第２要素については固定としているので、Ｘ線曝射条件の要旨を変更することなく、目的の被曝線量を満たすＸ線曝射条件に自動的に変更することができる。よって、操作者が試行錯誤してＸ線曝射条件を変更するという作業を解消することができるし、目的の被曝線量に応じたＸ線曝射条件への変更に関する操作者の作業負担を低減することができる。
【００１９】
（４）  前記（２）に記載のＸ線ＣＴ装置において、前記第１要素は、被検体の撮影部位にわたる全区間のうちの所定区間の電流値を変更するものであることを特徴とするものである。
【００２０】
前記（４）に記載の発明によれば、第１要素は、被検体の撮影部位にわたる全区間のうちの所定区間の電流値を変更するものとしている。したがって、Ｘ線曝射条件の要旨を変更しない要素である、Ｘ線照射手段の電流値という第１要素のみを、被検体の撮影部位にわたる全区間のうちの所定区間の電流値を変更し、第１要素以外の第２要素については固定としているので、Ｘ線曝射条件の要旨を変更することなく、目的の被曝線量を満たすＸ線曝射条件に自動的に変更することができる。よって、操作者が試行錯誤してＸ線曝射条件を変更するという作業を解消することができるし、目的の被曝線量に応じたＸ線曝射条件への変更に関する操作者の作業負担を低減することができる。
【００２１】
（５）  前記（１）に記載のＸ線ＣＴ装置において、前記遷移手段は、前記判断手段で許容範囲内と判断されるまで、前記条件設定手段に設定されるＸ線曝射条件を、そのＸ線曝射条件の要旨を維持するように関連付けられた所定の順番としての、Ｘ線曝射条件のうちの前記Ｘ線断層撮影手段に含まれるＸ線照射手段の電圧値という第１要素以外の第２要素を固定とし、かつ、当該第１要素のみを変更していく順番に従って変更していくものであることを特徴とするＸ線ＣＴ装置。
【００２２】
前記（５）に記載の発明によれば、遷移手段は、判断手段で許容範囲内と判断されるまで、条件設定手段に設定されるＸ線曝射条件を、そのＸ線曝射条件の要旨を維持するように関連付けられた所定の順番としての、Ｘ線曝射条件のうちのＸ線断層撮影手段に含まれるＸ線照射手段の電圧値という第１要素以外の第２要素を固定とし、かつ、当該第１要素のみを変更していく順番に従って変更していく。したがって、操作者が入力指示手段に所望の被曝線量を入力指示すると、入力指示手段に入力指示された被曝線量に応じたＸ線曝射条件に自動的に変更する変更手段を好適に実現することができる。つまり、Ｘ線曝射条件の要旨を変更しない要素である、Ｘ線照射手段の電圧値という第１要素のみを変更し、第１要素以外の第２要素については固定としているので、Ｘ線曝射条件の要旨を変更することなく、目的の被曝線量を満たすＸ線曝射条件に自動的に変更することができる。よって、操作者が試行錯誤してＸ線曝射条件を変更するという作業を解消することができるし、目的の被曝線量に応じたＸ線曝射条件への変更に関する操作者の作業負担を低減することができる。
【００２３】
（６）  前記（１）に記載のＸ線ＣＴ装置において、前記遷移手段は、前記判断手段で許容範囲内と判断されるまで、前記条件設定手段に設定されるＸ線曝射条件を、そのＸ線曝射条件の要旨を維持するように関連付けられた所定の順番としての、Ｘ線曝射条件のうちの前記Ｘ線断層撮影手段でのスキャン速度という第１要素以外の第２要素を固定とし、かつ、当該第１要素のみを変更していく順番に従って変更していくものであることを特徴とするＸ線ＣＴ装置。
【００２４】
前記（６）に記載の発明によれば、遷移手段は、判断手段で許容範囲内と判断されるまで、条件設定手段に設定されるＸ線曝射条件を、そのＸ線曝射条件の要旨を維持するように関連付けられた所定の順番としての、Ｘ線曝射条件のうちのＸ線断層撮影手段でのスキャン速度という第１要素以外の第２要素を固定とし、かつ、当該第１要素のみを変更していく順番に従って変更していく。したがって、操作者が入力指示手段に所望の被曝線量を入力指示すると、入力指示手段に入力指示された被曝線量に応じたＸ線曝射条件に自動的に変更する変更手段を好適に実現することができる。つまり、Ｘ線曝射条件の要旨を変更しない要素である、Ｘ線断層撮影手段でのスキャン速度という第１要素のみを変更し、第１要素以外の第２要素については固定としているので、Ｘ線曝射条件の要旨を変更することなく、目的の被曝線量を満たすＸ線曝射条件に自動的に変更することができる。よって、操作者が試行錯誤してＸ線曝射条件を変更するという作業を解消することができるし、目的の被曝線量に応じたＸ線曝射条件への変更に関する操作者の作業負担を低減することができる。
【００２５】
（７）  前記（１）に記載のＸ線ＣＴ装置において、前記遷移手段は、前記判断手段で許容範囲内と判断されるまで、前記条件設定手段に設定されるＸ線曝射条件を、そのＸ線曝射条件の要旨を維持するように関連付けられた所定の順番としての、Ｘ線曝射条件のうちの被検体を載置する載置手段と前記Ｘ線断層撮影手段との相対移動速度という第１要素以外の第２要素を固定とし、かつ、当該第１要素のみを変更していく順番に従って変更していくものであることを特徴とするＸ線ＣＴ装置。
【００２６】
前記（７）に記載の発明によれば、遷移手段は、判断手段で許容範囲内と判断されるまで、条件設定手段に設定されるＸ線曝射条件を、そのＸ線曝射条件の要旨を維持するように関連付けられた所定の順番としての、Ｘ線曝射条件のうちの被検体を載置する載置手段とＸ線断層撮影手段との相対移動速度という第１要素以外の第２要素を固定とし、かつ、当該第１要素のみを変更していく順番に従って変更していく。したがって、操作者が入力指示手段に所望の被曝線量を入力指示すると、入力指示手段に入力指示された被曝線量に応じたＸ線曝射条件に自動的に変更する変更手段を好適に実現することができる。つまり、Ｘ線曝射条件の要旨を変更しない要素である、載置手段とＸ線断層撮影手段との相対移動速度という第１要素のみを変更し、第１要素以外の第２要素については固定としているので、Ｘ線曝射条件の要旨を変更することなく、目的の被曝線量を満たすＸ線曝射条件に自動的に変更することができる。よって、操作者が試行錯誤してＸ線曝射条件を変更するという作業を解消することができるし、目的の被曝線量に応じたＸ線曝射条件への変更に関する操作者の作業負担を低減することができる。
【００２７】
（８）  請求項３に記載のＸ線ＣＴ装置において、前記所定量は、Ｘ線断層撮影しようとする被検体についてのＸ線照射に関連する情報に基づいて設定されたものであることを特徴とするＸ線ＣＴ装置。
【００２８】
前記（８）に記載の発明によれば、所定量は、Ｘ線断層撮影しようとする被検体についてのＸ線照射に関連する情報に基づいて設定されたものとしているので、被検体に応じた被曝線量の閾値を設定することができ、被検体への被曝線量をより高精度に調整することができる。
【発明の効果】
【００２９】
この発明に係るＸ線ＣＴ装置によれば、Ｘ線断層撮影に関するＸ線曝射条件が設定される条件設定手段と、この条件設定手段に設定されたＸ線曝射条件に従ってＸ線断層撮影を実行するＸ線断層撮影手段と、所望の被曝線量が入力指示される入力指示手段と、条件設定手段に設定されたＸ線曝射条件を、入力指示手段に入力された被曝線量に応じたＸ線曝射条件に変更する変更手段と、を備えているので、操作者が入力指示手段に所望の被曝線量を入力指示すると、入力指示手段に入力指示された被曝線量に応じたＸ線曝射条件に自動的に変更手段によって変更することができ、操作者が試行錯誤してＸ線曝射条件を変更するという作業を解消することができる。その結果、目的の被曝線量に応じたＸ線曝射条件への変更に関する操作者の作業負担を低減することができる。
【発明を実施するための最良の形態】
【００３０】
以下、この発明の一実施例を図面を参照しながら説明する。図１は実施例に係るＸ線ＣＴ装置の全体構成を示すブロック図である。
【００３１】
図１に示すように、Ｘ線ＣＴ装置は、Ｘ線断層撮影部１０とホストコンピュータ２０と操作卓３０などを備えている。
【００３２】
Ｘ線断層撮影部１０は、被検体Ｍ（例えばＸ線曝射対象者）が載置されるベッド１１と、Ｘ線管１２およびＸ線検出器１３を有するガントリ１４と、ベッド１１およびガントリ１４などを駆動制御する駆動制御部１５と、Ｘ線管１２およびＸ線検出器１３を制御するＸ線制御部１６と、Ｘ線検出器１３で検出した透過Ｘ線像を収集するデータ収集部１７とを備えている。このＸ線断層撮影部１０の各構成について以下に詳細に説明する。
【００３３】
ベッド１１は、被検体Ｍを載置した状態で被検体Ｍの体軸Ｚの方向に移動可能な天板１８を備えている。ガントリ１４は、その内部において、コリメータ（図示省略）によって扇形状に整形されたＸ線ビーム（ファン状Ｘ線ビーム）を被検体Ｍに照射するＸ線管１２と、ファン状Ｘ線ビームの広がりに合わせて多数のＸ線検出素子（図示省略）がライン状に配列されている多チャンネル式のＸ線検出器１３とが、被検体Ｍを挟んで対向配置状態となるようにして配置されており、Ｘ線管１２とＸ線検出器１３とが対向配置状態を維持したままで被検体Ｍのまわりを回転する構成となっている。なお、Ｘ線検出器１３は、ライン状のＸ線検出素子（図示省略）が被検体Ｍの体軸Ｚの方向に複数列並べられた多列化のＸ線検出器１３としている。
【００３４】
また、駆動制御部１５は、天板１８の移動をコントロールするよう構成されている。つまり、天板１８の移動に伴って被検体Ｍが、ガントリ１４のトンネル１４ａに進入したり、トンネル１４ａから退出したりする構成になっている。また、Ｘ線制御部１６は、高電圧発生器などを含むものであり、Ｘ線管１２をコントロールするよう構成されている。つまり、Ｘ線管１２は、管電圧・管電流等のパラメータで特定される設定されたＸ線曝射条件（設定照射条件）に従ってファン状Ｘ線ビームを被検体Ｍに照射するよう構成されている。
【００３５】
なお、ＣＴ撮影時には、Ｘ線管１２およびＸ線検出器１３が被検体Ｍの体軸Ｚまわりを回転するけれども、透視撮影時には、通常、Ｘ線管１２が被検体Ｍの真上に位置し、Ｘ線検出器１３が被検体Ｍの真下に位置したまま静止状態を保つようになっている。また、Ｘ線管１２が被検体Ｍの真横に位置し、Ｘ線検出器１３がX線管１２に対向するように被検体Ｍの真横に位置したまま静止状態を保つようにすることもある。
【００３６】
Ｘ線撮影の実行中、Ｘ線管１２からのファン状Ｘ線ビームの照射に伴ってＸ線検出器１３からＣＴ用Ｘ線検出データあるいは透視用Ｘ線検出データが出力される。データ収集部１７は、これらのＸ線検出データ（透過Ｘ線像）を収集する。データ収集部１７は、これらの収集したＸ線検出データを、このデータ収集部１７に設けられたＡＤ変換部（図示省略）でディジタル化する。
【００３７】
さらに、この実施例のＸ線ＣＴ装置は、データ格納部４０と画像再構成部５０と画像メモリ６０と画像表示部７０とを備えている。データ格納部４０は、データ収集部１７のＡＤ変換部でアナログ・ディジタル変換された透過Ｘ線像（ＣＴ用Ｘ線検出データや透視用Ｘ線検出データ）を格納するものである。
【００３８】
ＣＴ撮影時は、図１に示すように、駆動制御部１５によりＸ線管１２およびＸ線検出器１３を被検体Ｍの体軸Ｚまわりに回転させるとともに、ファン状Ｘ線ビームを被検体Ｍに照射すると同時に、被検体Ｍを載せた天板１８を被検体Ｍの体軸Ｚの方向に連続的ないし間歇的に移動させることを行いながら、その間にファン状Ｘ線ビームの照射に伴ってＸ線検出部から出力される透過Ｘ線像（ＣＴ用Ｘ線検出データ）を収集してはデータ格納部４０へ次々と格納してゆく。
【００３９】
画像再構成部５０は、データ格納部４０に格納された透過Ｘ線像に基づきフーリエ変換方式の信号処理等を用いた画像再構成を行う。画像再構成部５０による画像再構成により最終的に得られるＣＴ画像（断層画像）は画像メモリ６０に格納される。画像メモリ６０に格納されたＣＴ画像は、ホストコンピュータ２０からの指令等に従って、画像表示部７０の画面に表示される構成となっている。
【００４０】
操作卓３０は、ＣＴ撮影に関する各種の指示入力を操作者から受けるものである。操作者が操作卓３０を操作することで、被検体ＭをＣＴ撮影する条件であるＸ線曝射条件が設定入力されるようになっている。この操作卓３０は、操作者に必要な各種情報を表示する表示部３２も備えている。この表示部３２は、設定されたＸ線曝射条件での被曝線量を表示する機能も有している。
【００４１】
Ｘ線曝射条件は、Ｘ線管１２の管電流、Ｘ線管１２の管電圧、スライス厚さなどの各パラメータによって特定されるＸ線曝射に関する条件のことである。
【００４２】
ホストコンピュータ２０は、操作卓３０から入力された入力データなどに従って、Ｘ線断層撮影部１０や画像表示部７０などの各構成に指令を出力し制御するものである。さらに、このホストコンピュータ２０は、後述するように、設定されたＸ線曝射条件での被曝線量を算出し、設定されたＸ線曝射条件での被曝線量を表示部３２に表示させるように制御する機能も備えている。
【００４３】
この実施例では、被曝線量として、被曝線量の規格化された指標である被曝線量ＣＴＤＩ（computed tomography dose index）のうちのＣＴＤＩvol を採用することとしている。被曝線量ＣＴＤＩとは、Ｘ線ＣＴによる１検査における、被検者に対する被曝線量を評価する一つの指標であると言える。被曝線量ＣＴＤＩvol は、人体を模擬したアクリル製ファントムを用いて測定したデータから算出された被曝線量のことである。
【００４４】
ここで、各種のＸ線曝射条件に対する被曝線量ＣＴＤＩvol について、図２を用いて説明する。図２は、ホストコンピュータ２０の被曝線量算出用テーブルを示す図である。各種のＸ線曝射条件においてアクリル製ファントムに対してＸ線ＣＴ撮影を行い、当該ファントムに照射されたＸ線量を測定したデータ（被曝線量ＣＴＤＩvol）を、各Ｘ線曝射条件に対応させることで、各種のＸ線曝射条件での被曝線量ＣＴＤＩvol を算出可能な図２に示す被曝線量算出用テーブルをホストコンピュータ２０に持たせている。つまり、ホストコンピュータ２０は、Ｘ線曝射条件が与えられると、このＸ線曝射条件での被曝線量を、図２に示す被曝線量算出用テーブルに基づいて算出できるようになっている。なお、図２に示すデータ（被曝線量）は、Ｘ線曝射条件に対応する１秒当りの被曝線量を表していて、このテーブルを参照すれば全てのＸ線曝射条件に対する被曝線量の算出ができる。
【００４５】
なお、上述したＸ線断層撮影部１０が本発明におけるＸ線断層撮影手段に相当し、上述した操作卓３０が本発明における入力指示手段に相当し、上述したＸ線管１２が本発明におけるＸ線照射手段に相当する。
【００４６】
続いて、ホストコンピュータ２０の要部の構成について図３を用いて説明する。図３は、ホストコンピュータ２０の要部の構成を示すブロック図である。なお、操作卓３０は、前述したように、操作者による操作によって、Ｘ線曝射条件等が入力指示されるものである。ホストコンピュータ２０は、当該操作卓３０からの指示に応じたＸ線曝射条件が設定される条件設定部２１を備えている。
【００４７】
さらに、ホストコンピュータ２０は、条件設定部２１に設定されたＸ線曝射条件を、操作卓３０に入力された被曝線量に応じたＸ線曝射条件に変更する変更部２２を備えている。
【００４８】
変更部２２は、複数種類のＸ線曝射条件とそれぞれの被曝線量ＣＴＤＩvol とを対応付けて記憶する記憶部２３と、条件設定部２１に設定されたＸ線曝射条件での被曝線量ＣＴＤＩvol が、操作卓３０に入力された被曝線量ＣＴＤＩvol の許容範囲内となるか否かを判断する判断部２４と、この判断部２４で許容範囲内と判断されるまで、条件設定部２１に設定されるＸ線曝射条件を変更していく遷移部２５と、を備えている。遷移部２５は、例えば、判断部２４で許容範囲内と判断されるまで、条件設定部２１に設定されるＸ線曝射条件を、そのＸ線曝射条件の要旨を維持するように関連付けられた所定の順番に従って変更していくものである。
【００４９】
なお、本明細書中に記載の「Ｘ線曝射条件の要旨」とは、Ｘ線曝射条件の主要部を意味するものである。さらに言えば、目的のＣＴ撮影を充足するために変更不可な要素を意味する。本実施例では、後述するように、少なくともスライス厚さがＸ線曝射条件の主要部に相当するし、広義には、Ｘ線曝射条件の主要部としてスライス厚さの他に管電圧などを含めて取り扱い、Ｘ線曝射条件の主要部以外のものとして管電圧を用いる場合などがある。
【００５０】
具体的には、遷移部２５は、判断部２４で許容範囲内と判断されるまで、条件設定部２１に設定されるＸ線曝射条件を、そのＸ線曝射条件の要旨を維持するように関連付けられた所定の順番としての、Ｘ線曝射条件のうちの第１要素（Ｘ線管１２の電流値）以外の第２要素（Ｘ線管１２の管電圧とスライス厚さ等）を固定とし、かつ、当該第１要素（Ｘ線管１２の電流値）のみを変更していく順番に従って変更していくものである。
【００５１】
なお、上述した条件設定部２１が本発明における条件設定手段に相当し、上述した変更部２２が本発明における変更手段に相当し、上述した記憶部２３が本発明における記憶手段に相当し、上述した判断部２４が本発明における判断手段に相当し、上述した遷移部２５が本発明における遷移手段に相当する。
【００５２】
さらに、ホストコンピュータ２０は、条件設定部２１に設定されたＸ線曝射条件での被曝線量ＣＴＤＩvol が所定量（閾値）以上であるか否かを判断する閾値判定部２６も備えている。閾値判定部２６は、条件設定部２１に設定されたＸ線曝射条件での被曝線量ＣＴＤＩvol が所定量以上であれば、操作卓３０の表示部３２にその旨を表示させるように表示部３２を表示制御する。つまり、現在のＸ線曝射条件に対する被曝線量ＣＴＤＩvol が所定量（閾値）以上であるか否かを、表示部３２に表示するようになっており、所定量（閾値）以上の被曝線量ＣＴＤＩvol をその閾値以下の被曝線量ＣＴＤＩvol に変更するように、操作者に注意を促すようになっている。なお、閾値判定部２６と操作卓３０の表示部３２とが本発明における教示手段に相当する。
【００５３】
続いて、実施例のＸ線ＣＴ装置において、設定されたＸ線曝射条件を、目的の被曝線量ＣＴＤＩvol となるＸ線曝射条件に変更・調整する場合について、図４，図５も用いて説明する。図４は、ホストコンピュータ２０での条件変更処理を示すフローチャートであり、図５は、ホストコンピュータ２０で用いられるＸ線曝射条件変更用テーブルを示す図である。
【００５４】
被検体Ｍ（例えば被検者）に対してどのようなＣＴ撮影を行うのかは、被検体Ｍの検査部位や目的または被検者の体格等を考慮して操作者が設定するものである。つまり、操作者は、被検体Ｍに応じたＸ線曝射条件を決定し、この決定したＸ線曝射条件を、操作卓３０を操作してＸ線ＣＴ装置に入力する。ステップＳ１では、ホストコンピュータ２０は、操作者により指示されたＸ線曝射条件を設定する。
【００５５】
続いて、ステップＳ２では、ホストコンピュータ２０は、設定されたＸ線曝射条件での被曝線量ＣＴＤＩvol を操作卓３０の表示部３２に表示させる。ここでは、この設定されたＸ線曝射条件は、管電流３０［ｍＡ］，管電圧１２０［ｋＶ］，スライス厚さ［３ｍｍ］というものであったとする。ホストコンピュータ２０は、図２に示す被曝線量算出用テーブルを用いて、このＸ線曝射条件での被曝線量ＣＴＤＩvol を算出する。つまり、図２に示す被曝線量算出用テーブルを用いることで、管電流３０［ｍＡ］，管電圧１２０［ｋＶ］，スライス厚さ［３ｍｍ］であるＸ線曝射条件での被曝線量ＣＴＤＩvol は２．４［ｍＧｙ/ｓｅｃ］と求めることができ、この値が操作卓３０の表示部３２に表示される。
【００５６】
ここで、Ｘ線曝射条件の要旨を維持しつつ被曝線量ＣＴＤＩvol を目的の被曝線量１．６［ｍＧｙ/ｓｅｃ］に変更したい場合が生じたとする。操作者は、操作卓３０に目的の被曝線量ＣＴＤＩvol である１．６［ｍＧｙ/ｓｅｃ］を数値入力し、ステップＳ３では、ホストコンピュータ２０は、操作卓３０からの指示に従って、目的の被曝線量ＣＴＤＩvol を１．６［ｍＧｙ/ｓｅｃ］に設定する。
【００５７】
続いて、ステップＳ４では、ホストコンピュータ２０は、現時点の設定されたＸ線曝射条件での被曝線量ＣＴＤＩvol （２．４［ｍＧｙ/ｓｅｃ］）が、目的の被曝線量（１．６［ｍＧｙ/ｓｅｃ］）の許容範囲内であるか否かを判断し、範囲内であればステップＳ８に進み、範囲外であればステップＳ５に進む。この実施例では、現時点の設定されたＸ線曝射条件での被曝線量ＣＴＤＩvol （２．４［ｍＧｙ/ｓｅｃ］）が目的の被曝線量（１．６［ｍＧｙ/ｓｅｃ］）以下であるか否かを判断するものとする。具体的には、現時点の被曝線量（２．４［ｍＧｙ/ｓｅｃ］）が、目的の被曝線量（１．６［ｍＧｙ/ｓｅｃ］）よりも大きく、目的の被曝線量の許容範囲外となっており、現時点の被曝線量（２．４［ｍＧｙ/ｓｅｃ］）が目的の被曝線量（１．６［ｍＧｙ/ｓｅｃ］）を満たさないと判断し、ステップＳ５に進むことになる。
【００５８】
ステップＳ５では、ホストコンピュータ２０は、現時点の設定されたＸ線曝射条件に関連する新たなＸ線曝射条件に変更し、ステップＳ６に進む。具体的には、当初設定されたＸ線曝射条件は、管電流３０［ｍＡ］，管電圧１２０［ｋＶ］，スライス厚さ［３ｍｍ］というものであり、このＸ線曝射条件の要旨を維持するように関連付けられたＸ線曝射条件としては、図５に示すような複数個のＸ線曝射条件が挙げられ、これらのＸ線曝射条件は管電流が大きくなる順番に並べられている。この実施例では、図５に示すように、当初の条件はＸ線曝射条件Ｊ３であるので、これよりも管電流値の小さいＸ線曝射条件Ｊ２に変更設定する。
【００５９】
なお、図５では、管電圧１２０［ｋＶ］，スライス厚さ［３ｍｍ］が固定で、管電流を変化させた各種条件を、当初のＸ線曝射条件の要旨を維持する一連のＸ線曝射条件群としているが、この一連のＸ線曝射条件群とは別の他の一連のＸ線曝射条件群も複数個（管電圧，スライス厚さの組み合わせの数分）存在する。つまり、管電圧，スライス厚さのうちの少なくとも一つを別のある値で固定し、管電流を変化させた各種条件が他の一連のＸ線曝射条件群に相当するのである。また、この実施例では、ホストコンピュータ２０は、図５に示すＸ線曝射条件変更用テーブルを複数個（管電圧，スライス厚さの組み合わせの数分）備えるようにしているが、図５に示したテーブルという形で備えるのではなく、図２に示したテーブルから各種の一連のＸ線曝射条件群が特定できるようにした形態を採用するようにしてもよい。
【００６０】
ステップＳ６では、ホストコンピュータ２０は、ステップＳ５で変更したＸ線曝射条件での被曝線量ＣＴＤＩvol （１．６［ｍＧｙ/ｓｅｃ］）を算出し、ステップＳ７に進む。
【００６１】
ステップＳ７では、ホストコンピュータ２０は、変更されたＸ線曝射条件での被曝線量ＣＴＤＩvol （１．６［ｍＧｙ/ｓｅｃ］）が、目的の被曝線量（１．６［ｍＧｙ/ｓｅｃ］）の許容範囲内であるか否かを判断し、範囲内であればステップＳ８に進み、範囲外であればステップＳ５に戻る。具体的には、現時点の変更された被曝線量（１．６［ｍＧｙ/ｓｅｃ］）が、目的の被曝線量（１．６［ｍＧｙ/ｓｅｃ］）と等しくなっており、現時点の被曝線量（１．６［ｍＧｙ/ｓｅｃ］）が目的の被曝線量（１．６［ｍＧｙ/ｓｅｃ］）を満たすと判断し、ステップＳ８に進むことになる。
【００６２】
続いて、ステップＳ８では、ホストコンピュータ２０は、変更したＸ線曝射条件（図５に示すＸ線曝射条件Ｊ２）を候補として採用する。具体的には、この変更したＸ線曝射条件での被曝線量ＣＴＤＩvol （１．６［ｍＧｙ/ｓｅｃ］）を、操作卓３０の表示部３２に表示させる。操作者は、目的の被曝線量（１．６［ｍＧｙ/ｓｅｃ］）となったことを確認し、このＸ線曝射条件によるＣＴ撮影を実行する。
【００６３】
なお、このステップＳ８において複数個のＸ線曝射条件が候補として挙げられた場合は、それらの候補を操作卓３０の表示部３２に表示し、操作者により一のＸ線曝射条件を選択するようにしてもよい。
【００６４】
また、上述した実施例では、一連のＸ線曝射に対して管電流値を変更しないもの、つまり、被検体Ｍの全ＣＴ撮影範囲においてＸ線管１２の管電流を一定としてＣＴ撮影するものを例に挙げて説明したが、図６に実線で示すように、検査部位に合わせてＸ線曝射中に管電流値を変更するものの場合には以下に説明するような変形例を採用してもよい。図６（ａ）は、一連のＸ線曝射に対して管電流値を変更する場合において一連の管電流値全体を変更することで目的の被曝線量ＣＴＤＩvol に変更することを説明するための図であり、図６（ｂ）は、一連のＸ線曝射に対して管電流値を変更する場合において一連の管電流値の一部を変更することで目的の被曝線量ＣＴＤＩvol に変更することを説明するための図である。
【００６５】
図６（ａ）に示すように、一連のＸ線曝射に対して管電流値を変更する場合には、一連の管電流値全体を変更することで目的の被曝線量ＣＴＤＩvol に変更する。つまり、一連の管電流値全体を所定値ずつ変更（例えば低下させるように変更）した各種のＸ線曝射条件を一連のＸ線曝射条件群とし、図４に示したように目的の被曝線量ＣＴＤＩvolとなるように、一連のＸ線曝射条件群の中から現在のＸ線曝射条件を新たなＸ線曝射条件に順次に変更していくことで、目的の被曝線量ＣＴＤＩvol となるＸ線曝射条件を算出するようにしてもよい。
【００６６】
なお、本変形例の場合は、一連のＸ線曝射に対して管電流値を変更する場合であり、かつ、一連の管電流値全体を変更する場合あるので、各スライス位置のうちでの最も高い被曝線量ＣＴＤＩvol のみを表示するものとしたり、各スライス位置のうちの所定スライス位置での被曝線量ＣＴＤＩvol のみを表示するものとしたりして、被曝線量ＣＴＤＩvol の変更を注意させるようにしてもよいし、各スライス位置での被曝線量ＣＴＤＩvol を全て表示し、これらの被曝線量ＣＴＤＩvol を操作者が確認して被曝線量ＣＴＤＩvol の変更を注意させるようにしてもよい。
【００６７】
また、図６（ｂ）に示すように、一連のＸ線曝射に対して管電流値を変更する場合には、一連の管電流値のうちの所定箇所の管電流値を変更することで目的の被曝線量ＣＴＤＩvol に変更する。つまり、被検体Ｍの全ＣＴ撮影範囲（全スライス位置）のうちの所定箇所（所定のスライス位置）の管電流値を所定値ずつ変更（例えば低下させるように変更）した各種のＸ線曝射条件を一連のＸ線曝射条件群とし、図４に示したように目的の被曝線量ＣＴＤＩvol となるように、一連のＸ線曝射条件群の中から現在のＸ線曝射条件を新たなＸ線曝射条件に順次に変更していくことで、目的の被曝線量ＣＴＤＩvol となるＸ線曝射条件を算出するようにしてもよい。
【００６８】
なお、本変形例の場合は、一連のＸ線曝射に対して管電流値を変更する場合であり、かつ、一連の管電流値のうちの所定箇所の管電流値を変更する場合あるので、各スライス位置のうちの所定のスライス位置での被曝線量ＣＴＤＩvol のみを表示して、被曝線量ＣＴＤＩvol の変更を注意させるようにしてもよいし、各スライス位置での被曝線量ＣＴＤＩvol を全て表示し、これらのうちの所定のスライス位置での被曝線量ＣＴＤＩvol を操作者が確認して被曝線量ＣＴＤＩvol の変更を注意させるようにしてもよい。例えば、図６（ｂ）では、被曝線量ＣＴＤＩvol の高い所定のスライス位置での管電流値を変更（例えば小さく）するようにしているが、被曝線量ＣＴＤＩvol の低い所定のスライス位置での管電流値を変更（例えば小さく）するようにしてもよい。
【００６９】
以上に述べたように、実施例のＸ線ＣＴ装置によれば、Ｘ線断層撮影に関するＸ線曝射条件が設定される条件設定部２１と、この条件設定部２１に設定されたＸ線曝射条件に従ってＸ線断層撮影を実行するＸ線断層撮影部１０と、所望の被曝線量ＣＴＤＩvol が入力指示される操作卓３０と、条件設定部２１に設定されたＸ線曝射条件を、操作卓３０に入力された被曝線量ＣＴＤＩvol に応じたＸ線曝射条件に変更する変更部２２と、を備えているので、操作者が操作卓３０に所望の被曝線量ＣＴＤＩvol を入力指示すると、操作卓３０に入力指示された被曝線量ＣＴＤＩvol に応じたＸ線曝射条件に自動的に変更部２２によって変更されるので、操作者が試行錯誤してＸ線曝射条件を変更するという作業を解消することができる。その結果、目的の被曝線量ＣＴＤＩvol に応じたＸ線曝射条件への変更に関する操作者の作業負担を低減することができる。
【００７０】
また、変更部２２は、複数種類のＸ線曝射条件とそれぞれの被曝線量ＣＴＤＩvol とを対応付けて記憶する記憶部２３と、条件設定部２１に設定されたＸ線曝射条件での被曝線量ＣＴＤＩvol が、操作卓３０に入力された被曝線量ＣＴＤＩvol の許容範囲内となるか否かを判断する判断部２４と、この判断部２４で許容範囲内と判断されるまで、条件設定部２１に設定されるＸ線曝射条件を、そのＸ線曝射条件の要旨を維持するように関連付けられた所定の順番に従って変更していく遷移部２５と、を備えているので、操作者が操作卓３０に所望の被曝線量ＣＴＤＩvol を入力指示すると、操作卓３０に入力指示された被曝線量ＣＴＤＩvol に応じたＸ線曝射条件に自動的に変更する変更部２２を好適に実現することができる。つまり、Ｘ線曝射条件の要旨を変更することなく、目的の被曝線量ＣＴＤＩvol を満たすＸ線曝射条件に自動的に変更することができる。
【００７１】
また、遷移部２５は、判断部２４で許容範囲内と判断されるまで、条件設定部２１に設定されるＸ線曝射条件を、そのＸ線曝射条件の要旨を維持するように関連付けられた所定の順番としての、Ｘ線曝射条件のうちのＸ線管１２の電流値という第１要素以外の第２要素を固定とし、かつ、当該第１要素（管電流値）のみを変更していく順番に従って変更していくので、操作者が操作卓３０に所望の被曝線量ＣＴＤＩvol を入力指示すると、この操作卓３０に入力指示された被曝線量ＣＴＤＩvol に応じたＸ線曝射条件に自動的に変更する変更部２２を好適に実現することができる。つまり、Ｘ線曝射条件の要旨を変更しない要素である、Ｘ線管１２の電流値という第１要素のみを変更し、第１要素以外の第２要素については固定としているので、Ｘ線曝射条件の要旨を変更することなく、目的の被曝線量ＣＴＤＩvol を満たすＸ線曝射条件に自動的に変更することができる。
【００７２】
また、条件設定部２１に設定されたＸ線曝射条件での被曝線量ＣＴＤＩvol が所定量以上であることを教示する教示手段（閾値判定部２６および操作卓３０の表示部３２）を備えているので、操作者が設定したＸ線曝射条件での被曝線量ＣＴＤＩvol が所定値以上となっていることを知ることができ、目的の被曝線量ＣＴＤＩvol となるＸ線曝射条件への変更を促す契機となり、目的の被曝線量ＣＴＤＩvol となるＸ線曝射条件への変更を抜けなく確実に行うことができる。
【００７３】
また、第１要素は、被検体Ｍの撮影部位にわたる一連のＸ線管１２の電流値（管電流値）を全体的に変更するものとしているので、Ｘ線曝射条件の要旨を変更しない要素である管電流値という第１要素のみを、被検体Ｍの撮影部位にわたって全体的に変更し、第１要素以外の第２要素については固定としているので、Ｘ線曝射条件の要旨を変更することなく、目的の被曝線量ＣＴＤＩvol を満たすＸ線曝射条件に自動的に変更することができる。
【００７４】
また、図６（ｂ）に示すように、第１要素は、被検体Ｍの撮影部位にわたる全区間のうちの所定区間のＸ線管１２の電流値（管電流値）を変更するものとしているので、Ｘ線曝射条件の要旨を変更しない要素である管電流値という第１要素のみを、被検体Ｍの撮影部位にわたる全区間のうちの所定区間の管電流値を変更し、第１要素以外の第２要素については固定としているので、Ｘ線曝射条件の要旨を変更することなく、目的の被曝線量ＣＴＤＩvol を満たすＸ線曝射条件に自動的に変更することができる。
【００７５】
この発明は、上記実施形態に限られることはなく、下記のように変形実施することができる。
【００７６】
（１）上述した実施例では、遷移部２５は、判断部２４で許容範囲内と判断されるまで、条件設定部２１に設定されるＸ線曝射条件を、そのＸ線曝射条件の要旨を維持するように関連付けられた所定の順番としての、Ｘ線曝射条件のうちのＸ線管１２の電流値（管電流値）という第１要素以外の第２要素を固定とし、かつ、当該第１要素のみを変更していく順番に従って変更していくものとしているが、Ｘ線管１２の電圧値を第１要素とし、Ｘ線管１２の電圧値以外の要素である第２要素（管電流、スライス厚さなど）を固定とし、Ｘ線管１２の電圧値のみを変更していく順番に従って、条件設定部２１に設定されるＸ線曝射条件を変更していくものとしてもよい。この場合にも、Ｘ線曝射条件の要旨を変更することなく、目的の被曝線量ＣＴＤＩvol を満たすＸ線曝射条件に自動的に変更することができる。なお、この場合には、少なくともスライス厚さが「Ｘ線曝射条件の要旨」つまりＸ線曝射条件の主要部に相当するし、広義には、Ｘ線曝射条件の主要部としてスライス厚さの他に管電流などを含めて取り扱い、Ｘ線曝射条件の主要部以外のものとして管電圧を用いる場合となっている。
【００７７】
（２）上述した実施例では、被曝線量として、被曝線量の規格化された指標としてのＣＴＤＩvol を採用しているが、例えば、ＣＴＤＩw やＤＬＰ（dose length product）など各種の被曝線量を採用してもよい。なお、ＣＴＤＩw の「ｗ」は、「weighted」の意味である。Ｘ線曝射条件の各要素（パラメータ）として、Ｘ線管１２の管電流、管電圧およびスライス厚さの３要素として説明しているが、さらに、スキャン速度という要素を加えた合計４要素とすることも考えられる。したがって、管電流、管電圧、スキャン速度のうちの少なくとも一つを変更する第１要素とし、それらの管電流、管電圧、スキャン速度のうちで変更しないものとスライス厚さとを固定とする第２要素として、Ｘ線曝射条件の要旨を維持するように関連付けた一連のＸ線曝射条件群を設けるようにし、この一連のＸ線曝射条件群からＸ線曝射条件を算出するようにしてもよい。なお、被曝線量ＣＴＤＩw を採用する場合には、Ｘ線曝射条件の各要素として、上記の４要素が用いられることが多い。
【００７８】
（３）上述した実施例では、Ｘ線曝射条件の各要素（パラメータ）として、Ｘ線管１２の管電流、管電圧およびスライス厚さの３要素として説明しているが、上記（２）で説明したスキャン速度と、さらに、天板スピードという要素を加えた合計５要素とすることも考えられる。この天板スピードは、被検体Ｍを載置する天板１８（本発明の載置手段）とＸ線断層撮影部１０との相対移動速度に相当する要素である。したがって、管電流、管電圧、スキャン速度、天板スピードのうちの少なくとも一つを変更する第１要素とし、それらの管電流、管電圧、スキャン速度、天板スピードのうちで変更しないものとスライス厚さとを固定とする第２要素として、Ｘ線曝射条件の要旨を維持するように関連付けた一連のＸ線曝射条件群を設けるようにし、この一連のＸ線曝射条件群からＸ線曝射条件を算出するようにしてもよい。なお、被曝線量ＣＴＤＩvol を採用する場合には、Ｘ線曝射条件の各要素として、上記の５要素が用いられることが多い。
【００７９】
（４）上述した実施例では、閾値判定部２６での所定量（閾値）について詳細には説明していないが、この所定量（閾値）はＸ線断層撮影しようとする被検体ＭについてのＸ線照射に関連する情報に基づいて設定されたものとすることが挙げられる。つまり、被検体Ｍの年令、被検体Ｍの体重、被検体Ｍの身長、被検体Ｍの過去のＸ線曝射履歴などのＸ線照射に関連する情報に基づいて設定されたものとすることが挙げられる。こうすることで、被検体Ｍごとに適した所定量（閾値）を具備することができ、被検体Ｍごとに適した被曝線量に変更する注意を好適に促すことができる。
【００８０】
（５）上述した実施例では、Ｘ線検出手段として多列タイプのＸ線検出器１３を採用しているが、単列タイプのＸ線検出器を採用してもよいし、フラットパネル型Ｘ線センサ（ＦＰＤ）など各種のＸ線検出器を採用してもよい。このフラットパネル型Ｘ線センサは、Ｘ線検出面に多数のＸ線検出素子が縦横に配列されているＸ線センサであり、Ｘ線検出素子の配列の具体例としては、例えば縦・横それぞれ１０２４個のマトリックス構成が挙げられる。当然、採用するＸ線検出手段に応じて、コーンビーム状等にＸ線を出射するＸ線管１２（Ｘ線照射手段）を採用するようにしてもよい。
【００８１】
（６）上述した実施例では、操作卓３０の表示部３２に被曝線量を表示するようにしているが、操作卓３０以外の表示部などに表示するようにしてもよい。
【図面の簡単な説明】
【００８２】
【図１】実施例に係るＸ線ＣＴ装置の全体構成を示すブロック図である。
【図２】実施例のホストコンピュータの被曝線量算出用テーブルを示す図である。
【図３】実施例のホストコンピュータの要部の構成を示すブロック図である。
【図４】実施例のホストコンピュータでの条件変更処理を示すフローチャートである。
【図５】実施例のホストコンピュータで用いられるＸ線曝射条件変更用テーブルを示す図である。
【図６】（ａ）は一連の管電流値全体を変更することで目的の被曝線量に変更することを説明するための図であり、（ｂ）は一連の管電流値の一部を変更することで目的の被曝線量に変更することを説明するための図である。
【符号の説明】
【００８３】
１０  …  Ｘ線断層撮影部（Ｘ線断層撮影手段）
１２  …  Ｘ線管（Ｘ線照射手段）
２１  …  条件設定（条件設定手段）
２２  …  変更部（変更手段）
２３  …  記憶部（記憶手段）
２４  …  判断部（判断手段）
２５  …  遷移部（遷移手段）
２６  …  閾値判定部（教示手段）
３０  …  操作卓（入力指示手段）
３２  …  表示部（教示手段）
Ｍ  …  被検体
【図１】
2005168870.tif 000003
【図２】
2005168870.tif 000004
【図３】
2005168870.tif 000005
【図４】
2005168870.tif 000006
【図５】
2005168870.tif 000007
【図６】
2005168870.tif 000008